(57)【要約】【課題】入力された多数の撮影画像とこれらの撮影画像が割り当てられる複数の頁シート（アルバム冊子の構成要素）との関係をオペレータが確実に把握できる写真プリント装置を提供する。【解決手段】入力された撮影画像からプレジャッジ画面を通じて選択された撮影画像を用いて、写真アルバム冊子を構成する各頁シートを出力するための写真プリント装置。各頁シートに形成される撮影画像の数を設定する頁シート設定部３３と、プレジャッジ画面に表示される撮影画像と頁シートとの関係を示す頁情報を作成するプレジャッジ画面管理部３５と、撮影画像と頁情報とを含むプレジャッジ画面を作成してモニタ２３に送り出すプレジャッジ画面作成部３４ａが備えられている。【選択図】        図６
2006054716.tif 000002
【特許請求の範囲】
【請求項１】
入力された撮影画像からプレジャッジ画面を通じて選択された撮影画像を用いて、写真アルバム冊子を構成する各頁シートを出力するための写真プリント装置において、
前記各頁シートに形成される撮影画像の数を設定する頁シート設定部と、前記プレジャッジ画面に表示される撮影画像と前記頁シートとの関係を示す頁情報を作成するプレジャッジ画面管理部と、前記撮影画像と前記頁情報とを含むプレジャッジ画面を作成してモニタに送り出すプレジャッジ画面作成部とを備えていることを特徴とする写真プリント装置。
【請求項２】
前記頁情報には、前記頁シートの頁区切りマークをプレジャッジ画面に表示するための頁区切りマーク情報が含まれていることを特徴とする請求項１に記載の写真プリント装置。
【請求項３】
前記頁情報には、プレジャッジ画面に表示される撮影画像に割り当てられている頁シートのシート番号情報が含まれていることを特徴とする請求項１又は２に記載の写真プリント装置。
【請求項４】
前記プレジャッジ画面に表示された撮影画像が前記アルバム冊子の作成から除外されると前記プレジャッジ画面管理部が前記頁情報を再作成することを特徴とする請求項１〜３のいずれか１項に記載の写真プリント装置。
【請求項５】
前記頁シート設定部は、テンプレート格納部から読み込まれ選択された頁シート用テンプレートに定義されている撮影画像配置枠の数に基づいて前記各頁シートに形成される撮影画像の数を設定することを特徴とする請求項１〜４のいずれか１項に記載の写真プリント装置。
【発明の詳細な説明】
【技術分野】
【０００１】
本発明は、入力された撮影画像からプレジャッジ画面を通じて選択された撮影画像を用いて、写真アルバム冊子を構成する各頁シートを出力するための写真プリント装置に関する。
【背景技術】
【０００２】
従来、ＤＰ店に写真プリント注文することで写真プリント装置から出力された撮影画像コマ単位の写真プリントを市販の台紙に貼り付けていくことで多数頁から構成される写真アルバム冊子が作成されていたが、最近、デジタル化された撮影画像を用いてデジタル画像処理に基づく画像形成（デジタル露光方式やインクジェット）によって写真プリントを出力するデジタルミニラボなどが登場することになり、その結果、１枚のプリント用紙に複数の撮影画像を形成することにより写真アルバム冊子を構成する頁シートを直接出力することが可能となった。
【０００３】
このような頁シート（アルバムシート）を作成するシステムとして、例えば、複数の画像（撮影画像）を表示する画像表示手段と、作成されるアルバムシートの見本となる見本シート（テンプレート）を表示する見本シート表示手段と、前記画像表示手段により表示された複数の画像の中からアルバムシートにする画像を選択する画像選択手段と、前記画像選択手段により選択された画像を見本シートのどの位置にプリントするかを決定するプリント位置決定手段と、前記画像選択手段により選択された画像と、前記プリント位置決定手段により決定されたプリント位置に関する情報とを関連づけて記憶する記憶手段と、を具備するアルバムシート作成システムが提案されている（例えば、特許文献１参照。）。
【０００４】
【特許文献１】特開２００１−１８７４７４号公報（段落番号０００８、図６）
【発明の開示】
【発明が解決しようとする課題】
【０００５】
上述した特許文献１によるアルバムシート作成システムでは、選択したテンプレートに撮影画像を配置することによって得られたプリントデータに基づいて頁シートを作成することになるが、このような方法をＤＰ店に設置されているような写真プリント装置を用いて実行する場合、アルバム冊子化するべき撮影画像のコマ数が最低でもフィルム１本分やカードメモリ１枚分に含まれている数十コマに及ぶことから撮影画像のテンプレートへの配置作業は大きな負担となる。このため、例えば、撮影コマ番号順で連続的に配置していく技術が必須となるが、その場合に、撮影に失敗した画像まで頁シートに含まれることを確実に回避することや出力される頁シートの枚数を予めオペレータに認識させるといったことが重要となる。
上記実状に鑑み、本発明の課題は、入力された多数の撮影画像とこれらの撮影画像が割り当てられる複数の頁シート（アルバム冊子の構成要素）との関係をオペレータが確実に把握できる写真プリント装置を提供することである。
【課題を解決するための手段】
【０００６】
上記課題を解決するため、入力された撮影画像からプレジャッジ画面を通じて選択された撮影画像を用いて、写真アルバム冊子を構成する各頁シートを出力するための本発明による写真プリント装置は、前記各頁シートに形成される撮影画像の数を設定する頁シート設定部と、前記プレジャッジ画面に表示される撮影画像と前記頁シートとの関係を示す頁情報を作成するプレジャッジ画面管理部と、前記撮影画像と前記頁情報とを含むプレジャッジ画面を作成してモニタに送り出すプレジャッジ画面作成部とを備えている。
【０００７】
なお、プレジャッジ画面とは、ＤＰ店などに設置されるミニラボと呼ばれている写真プリント装置ではよく知られている入力撮影画像を順次表示しながらプリントすべき撮影画像や必要な色補正を指定するプレジャッジ作業時に用いられるモニタ画面のことである。
【０００８】
上述した本発明の構成では、写真アルバム冊子を構成する各頁シートに形成される撮影画像の数が前もって設定され、プレジャッジ画面に入力撮影画像を表示する際に表示される撮影画像と頁シートとの対応関係を示す頁情報が作成され、その頁情報が何らかな形態でプレジャッジ画面内に表示されるので、プレジャッジ画面を見つめているオペレータは表示されている撮影画像とその撮影画像が形成される頁シートとの関係を把握することができ、この写真プリント装置で出力される頁シートのイメージを、結果的には最終的に作り出される写真アルバム冊子のイメージを想定することができる。
【０００９】
例えば、頁情報として前記頁シートの頁区切りマークをプレジャッジ画面に表示するための頁区切りマーク情報を採用するならば、写真アルバム冊子を構成する各頁シートに入力撮影画像が割り当てられていく際にプレジャッジ画面においてその頁区切りとなる撮影画像と撮影画像の間に頁区切りマークを表示させることが可能となり、オペレータが撮影画像と頁シートとの対応関係を把握し易くなる。従って、頁シートの枚数を最終的に作り出される写真アルバム冊子にきっちり収まる枚数に合わせることが簡単となり、プレジャッジ画面を見るだけで、撮影画像の数と頁シートに適切に合わされていることが容易に確認できる。
【００１０】
また、頁情報としてプレジャッジ画面に表示される撮影画像に割り当てられている頁シートのシート番号情報を採用するならば、プレジャッジ画面に順次表示される入力撮影画像にその撮影画像が形成されることになる頁シートのシート番号（いわゆる頁番号）を付随させることが可能となり、オペレータが撮影画像と頁シートとの対応関係や最終的に出力される頁シートの枚数を把握し易くなる。
【００１１】
さらに、撮影画像ソースとしてフィルムやカードメディアが利用される場合、そこから取り出されてこの写真プリント装置に入力された撮影画像の内、撮影に失敗した画像が含まれていることがあるが、そのような失敗画像が頁シートに割り当てられることを避けるため、プレジャッジ画面を通じてオペレータが判断することでアルバム冊子作成処理対象から除外しなければならない。しかも、除外された撮影画像は生じるごとに頁情報は書き直す必要がある。このため、本発明の好適な実施形態の１つでは、前記プレジャッジ画面に表示された撮影画像が前記アルバム冊子の作成から除外されると前記プレジャッジ画面管理部が前記頁情報を再作成する。
【００１２】
さらに本発明の好適な実施形態の１つでは、前記頁シート設定部は、テンプレート格納部から読み込まれ選択された頁シート用テンプレートに定義されている撮影画像配置枠の数に基づいて前記各頁シートに形成される撮影画像の数を設定する。このような構成を採用することにより、アルバム冊子を構成する各頁シートのレイアウト、特にそこに含まれている撮影画像を嵌め込むための撮影画像配置枠の数が前設定されるので、例えば奇数頁と偶数頁で異なる撮影画像配置枠数を有する頁シート用テンプレートを選択しても、さらには頁単位で異なる撮影画像配置枠数を有する頁シート用テンプレートを選択しても、頁シート設定部からの撮影画像配置枠の数に関する情報に基づいて前記プレジャッジ画面管理部はプレジャッジ画面に表示される撮影画像と前記頁シートとの関係を示す頁情報を即座に作成することができる。
本発明によるその他の特徴及び利点は、以下図面を用いた実施形態の説明により明らかになるだろう。
【発明を実施するための最良の形態】
【００１３】
本発明による、アルバム冊子を構成する頁シートを出力する写真プリント装置の外観図が図１に示されている。この写真プリント装置は、印画紙Ｐに対して露光処理と現像処理とを行う写真プリンタとしてのプリントステーション１Ｂと、現像済み写真フィルム２ａやデジタルカメラ用メモリカード２ｂなどの画像記録メディアから取り込んだ撮影画像を処理してプリントステーション１Ｂで使用されるプリントデータの生成・転送などを行う操作ステーション１Ａとから構成されている。
【００１４】
この写真プリント装置から出力される写真プリントＰの内、図２で示すようにアルバム冊子として製本するための綴じ代を余白として残すとともに入力された撮影画像を１つ以上組み込んだものを頁シートと呼び、以後この頁シートの作成に関する技術構成を主に述べる。なお図２からも明らかなように、複数の頁シートを纏めて、適当な表紙、裏表紙、背表紙を取り付けると、美観に優れ、保管性のよいアルバム冊子が完成する。
【００１５】
この写真プリント装置はデジタルミニラボとも称せられるものであり、図３からよく理解できるように、プリントステーション１Ｂは２つの印画紙マガジン１１に納めたロール状の印画紙Ｐを引き出してシートカッター１２でプリントサイズに切断し、このように切断された印画紙Ｐに対し、バックプリント部１３で色補正情報や頁シート番号などのプリント処理情報を印画紙Ｐの裏面に印字するとともに、プリント露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり頁シートは、このソータ１７の複数のトレイにオーダ単位で仕分けられた状態で集積される（図１参照）。
【００１６】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１７】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１８】
前記操作ステーション１Ａのデスク状コンソールの上部位置には、写真フィルム２ａの撮影画像コマから撮影画像データ（以下単に画像データと略称する）を取得することができるフィルムスキャナ２０が配置されており、デジタルカメラ等に装着される撮影画像記録媒体２ｂとして用いられている各種メモリカードやＣＤ−Ｒなどから画像データを取得するメディアリーダ２１は、この写真プリント装置のコントローラ３として機能する汎用パソコンに組み込まれている。この汎用パソコンには、さらに各種情報を表示するモニタ２３、各種設定や調整を行う際に用いる操作入力部として利用される操作入力デバイスとしてのキーボード２４やマウス２５も接続されている。
【００１９】
この写真プリント装置のコントローラ３は、ＣＰＵを中核部材として、写真プリント装置の種々の動作を行うための機能部をハードウエア又はソフトウエアあるいはその両方で構築しているが、図４に示されているように、本発明に特に関係する機能部としては、フィルムスキャナ２０やメディアリーダ２１によって読み取られた画像データに次の処理のために必要な前処理を施してメモリ３０に展開する画像データ入力部３１と、キーボード２４やマウス２５からのユーザ操作入力を処理して適当な内部処理コマンドに変換する操作入力処理部３２と、前記頁シートを作成するために予め指定された頁シート用テンプレートをテンプレート格納部３３ａから読み出すとともに頁シート用テンプレートに定義されている撮影画像配置枠の数に基づいて頁シートに形成される撮影画像の数を頁シート単位で記憶しておく頁シート設定部３３と、各種ウインドウや後で詳しく説明するプレジャッジ画面などのグラフィック操作画面の作成やそのようなグラフィック操作画面を通じてのユーザ操作入力から変換された内部処理コマンドを管理するグラフィックユーザインターフェース（以下ＧＵＩと略称する）を構築するＧＵＩ部３４と、プレジャッジ画面を作成する際に必要な同時表示コマ数の設定やプレジャッジ画面に表示される撮影画像と前記頁シートとの関係を示す頁情報の作成を行うプレジャッジ画面管理部３５と、ＧＵＩ部３４から送られてきた内部処理コマンドに基づいて画像データを画像処理する画像処理部３６と、プレジャッジ画面を含む種々の画像情報を最終的にモニタ２３に表示させるためのビデオ信号を生成するビデオ制御部３７と、画像処理が完了した処理済み画像データに基づいてプリントステーション１Ｂに装備されているプリント露光部１４に適したプリントデータを生成するプリントデータ生成部３８と、顧客の要望に応じて生の画像データや画像処理が完了した頁シート単位の画像データなどをＣＤ−Ｒに書き込むための形式にフォーマットするフォーマッタ部３９などが挙げられる。
【００２０】
画像データ入力部３１は、撮影画像記録媒体がフィルム２ａの場合プレスキャンモードと本スキャンモードとのスキャンデータを別々にメモリ３０に送り込み、それぞれの目的に合わせた前処理を行う。また、撮影画像記録媒体がメモリカード２ｂの場合取り込んだ画像データにサムネイル画像データ（低解像度データ）が含まれている場合はモニタ２３での一覧表示などの目的で使用するため撮影画像の本データ（高解像度データ）とリンクされたアドレスのメモリ３０に送り込むが、もしサムネイル画像データが含まれていない場合は本データから縮小画像を作り出してサムネイル画像データとして同様に本データのアドレスとリンクされたアドレスのメモリ３０に送り込む。
【００２１】
ＧＵＩ部３４は、図５に例示するようなプレジャッジ画面４０を生成するプレジャッジ画面生成部３４ａと、プレジャッジ画面４０を含む種々の操作画面を通じて取得した内部処理コマンドを管理する処理コマンド管理部３４ｂとを備えている。一般的なプレジャッジ画面４０では、フィルム１本分やメモリカード１枚分の撮像コマがその画像チェックのために撮影画像表示枠４１に順次表示される。この撮影画像表示枠４１は、プレジャッジ画面管理部３５に実装された表示コマ設定部３５ａで前設定された表示コマ数だけ配置されるが、図５では、６コマ表示となっている。各撮影画像表示枠４１の上側にはこの撮影画像表示枠４１に表示されている撮影画像のコマ番号又は撮影画像ファイル名を表示するコマ識別コード表示欄４５が配置されており、各撮影画像表示枠４１の下側には色濃度補正設定エリア４２とプリント枚数設定エリア４３が配置されている。色濃度補正設定エリア４２には「イエロー」、「マゼンタ」、「シアン」、「濃度」の設定枠が設けられており、補正量の「Ｎ」はニュートラルを表し補正なしを意味している。プリント枚数設定エリア４３にはプリント枚数を入力する入力枠が設けられており、この入力枠に「パス」が表示された場合その撮影画像はプリント対象外となっていることを意味している。プレジャッジ画面４０の下方にはプリント条件表示欄４４が配置されており、この写真プリント出力に適用されたプリントチャンネル名称の表示や、このプリントチャンネルに含まれているプリントサイズやインデックスプリントの要否やメディア出力の要否などが示されている。プリントサイズは仕上がり写真プリントＰの大きさを示すものであり、印画紙幅と送り長さでプリントサイズが決定される。
【００２２】
図５で例示されたプレジャッジ画面４０では、コマ識別コード表示欄４５にコマ番号「００４」と「００５」が表示されている２つの撮影画像表示枠４１の境界領域に、上辺の両端に外向き矢印を付けたＴ字状の頁区切りマーク４６が表示されている。この頁区切りマーク４６は、頁シート設定部３３で記憶されている頁シートに割り当てられている形成撮影画像の数に基づいてプレジャッジ画面管理部３５の頁区切り処理部３５ｂが決定した頁区切りが発生する撮影画像表示枠４１の境界領域に表示されるものであり、この頁区切りマーク４６を境として撮影画像は異なる頁シートに画像形成されることになる。頁区切りマーク４６の外向き矢印には頁シートの頁番号を示す数字が付記されており、例えば頁番号「１」側に属する撮影画像表示枠４１に表示されている撮影画像は１枚目の頁シートに画像形成され、頁番号「２」側に属する撮影画像表示枠４１に表示されている撮影画像は２枚目の頁シートに画像形成される。
【００２３】
このプレジャッジ画面４０において各撮影画像に対する色濃度補正などの設定が完了して「ＳＴＡＲＴ」ボタンがクリックされると、表示されていた撮影画像に対応する高解像度の画像データがプリントデータ生成部３６に送られ、プリントデータに変換され、同時に次に表示すべき撮影画像の残っている場合、それらのためのプレジャッジ画面４０が表示される。
【００２４】
画像処理部３６には、よく知られている画像処理フィルタなどのほか、上述したプレジャッジ画面４０に表示される撮影画像の低解像度画像データの指定やプレジャッジ画面４０でプリント決定された撮影画像に対応する高解像度画像データの指定などを行う画像データ指定部３６ａ、前述した撮影画像表示枠４１に表示される撮影画像として予想仕上がりプリント画像であるシミュレート画像を生成するシミュレート画像生成部３６ｂ、前述した頁シートテンプレートの撮影画像配置枠に該当する撮影画像の画像データを割り当てて合成する画像合成部３６ｃ、適合する撮影画像が割り当てられた各頁シートのイメージを表示するための頁シートイメージデータを作成する頁イメージ作成部３６ｄなどが実装されている。
【００２５】
上述した写真プリント装置を用いて、アルバム冊子を構成する頁シートを出力する際の処理手順を図６の模式図を用いて説明する。
まず、フィルムスキャナ２０やメディアリーダ２１から画像データ入力部３１を介して撮影画像、詳しくは撮影画像のデジタル画像データが取り込まれメモリ３０に展開される。頁シート設定部３３の働きでキーボード２４を通じて頁シートテンプレートが選択されると、選択された頁シートテンプレートに定義されている撮影画像配置枠の数、つまり頁シート１枚当たりに組み込まれる撮影画像の数がプレジャッジ画面管理部３５に渡され、そこで記憶管理される。
【００２６】
プレジャッジ画面管理部３５の表示コマ数設定部３５ａを通じて前設定されたプレジャッジ画面４０に配置される撮影画像表示枠４１の数がＧＵＩ部３４に与えられることで、それに適合したプレジャッジ画面データがプレジャッジ画面生成部３４ａで生成され、モニタ２３にプレジャッジ画面４０が表示される。その際、撮影画像表示枠４１内に表示される撮影画像としては、画像データ指定部３６ａによって順次指定されるとともにシミュレート画像生成部３６ｂによってシミュレート画像化された最終的なプリント画像に忠実な画像が用いられる。
【００２７】
さらに、プレジャッジ画面管理部３５の頁区切り処理部３５ｂは、撮影画像表示枠４１に順次嵌め込まれていく撮影画像の数と記憶されている各頁シートに組み込まれる撮影画像の数とから頁シートの頁区切りを算定し、対応する頁シートのシート番号（頁番号）とともに頁区切り情報（頁情報の一種）としてＧＵＩ部３４のプレジャッジ画面生成部３４ａに送る。これにより、プレジャッジ画面には、頁区切りが発生する撮影画像表示枠４１の間に頁区切りマーク４６が頁区切り前後のシート番号とともに表示される。
【００２８】
プレジャッジ画面４０を通じてオペレータによる撮影画像のチェックが行われるが、その際に撮影に失敗したような不良画像が見出されると、プリント枚数設定エリア４３で「パス」が選択され、この撮影画像はプリント対象から場外される。例えば、図５において、「００１」のコマ番号を有する撮影画像が「パス」されたとすると、この撮影画像は頁シートに組み込まれなくなるので、頁区切りの位置の変わっている。このため、プレジャッジ画面４０において「パス」が発生すると、頁区切り処理部３５ｂが頁区切り情報を更新することで、図７に例示するように、頁区切りマーク４６の位置が変更される。
【００２９】
オペレータによる撮影画像のチェックが完了して、「ＳＴＡＲＴ」ボタンがクリックされると、表示されていた撮影画像に対応する高解像度の画像データが指定され、設定されている頁シートテンプレートに合わせて頁シート１枚分の撮影画像が合成されるが、頁シートテンプレートにロゴやキャラクタなどの付加画像が含まれている場合はその付加画像も含めて合成され、最終的にプリントデータ生成部３８に送られる。なお、１枚の頁シートに割り当てられた数だけの撮影画像が指定されておらずなおプレジャッジ作業が続行している場合、プリントデータ生成部３８は次のプレジャッジ作業の完了により指定される撮影画像を待って１枚分の頁シートの画像合成を完成させる。
【００３０】
上述した実施形態の説明では、プレジャッジ画面４０にＴ字状の頁区切りマーク４６が表示されたが、これに頁区切りマーク４６の形態が限定されるものでなく、種々の変形が可能である。また、頁区切りマーク４６の表示に代えて、図８に例示するように、各撮影画像表示枠４１の周辺に、例えば上側に該当撮影画像が形成される頁シートの識別コードを表示する頁シート識別コード表示枠４７を配置して、そこにシート番号などを表示する構成を採用してもよい。
【００３１】
上述した実施の形態では、プリントステーション１Ｂは、印画紙Ｐに対し、レーザ式露光エンジンを備えたプリント露光部１４で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。 
【図面の簡単な説明】
【００３２】
【図１】本発明による写真プリント装置の一例を示す外観図
【図２】本発明によって出力される頁シートの一例を示す模式図
【図３】図１による写真プリント装置を構成するプリントステーションの説明図
【図４】図１による写真プリント装置のコントローラの機能を示す機能ブロック図
【図５】プレジャッジ画面の一例を示す画面図
【図６】頁シートを出力する際の処理手順を説明するための説明図
【図７】図５のプレジャッジ画面から変更された頁区切りマークを表示するプレジャッジ画面を示す画面図
【図８】別実施形態のプレジャッジ画面の一例を示す画面図
【符号の説明】
【００３３】
１Ａ：操作ステーション
１Ｂ：プリントステーション
４：コントローラユニット
２３：モニタ
３０：メモリ
３３：頁シート設定部
３３ａ：テンプレート格納部
３４：ＧＵＩ部
３４ａ：プレジャッジ画面生成部
３４ｂ：処理コマンド管理部
３５：プレジャッジ画面管理部
３５ａ：表示コマ数設定部
３５ｂ：頁区切り処理部
３６：画像処理部
３８：プリントデータ生成部
Ｐ  ：印画紙（写真プリント：頁シート）
【図１】
2006054716.tif 000003
【図２】
2006054716.tif 000004
【図３】
2006054716.tif 000005
【図４】
2006054716.tif 000006
【図５】
2006054716.tif 000007
【図６】
2006054716.tif 000008
【図７】
2006054716.tif 000009
【図８】
2006054716.tif 000010